(57)【要約】【課題】海底地盤の掘削工法に関する。【解決手段】海底地盤の掘削工法は、作業が行われる場所に、海上掘削用の基本設備を設置する定着段階（Ｓ１００）と、多数の半月ケーシング６０が水中において円をなすようにする半月ケーシング設置段階（Ｓ１３０）と、多数の半月ケーシング６０の内側の海底地盤を掘削する地盤掘削段階（Ｓ１６０）と、地盤掘削段階（Ｓ１６０）と捨石除去段階（Ｓ１７０）が完了した海底地盤に、モノパイル９０を設置するモノパイル設置段階（Ｓ１８０）と、モノパイル設置段階（Ｓ１８０）により設置されたモノパイル９０の下端部の内側を充填する内部充填段階（Ｓ１９０）と、モノパイル９０の外側にある多数の半月ケーシング６０を海上に引き出して除去する半月ケーシング除去段階（Ｓ２００）と、モノパイル９０の下端部の外側にコンクリートを打設し、モノパイル９０を固定するモノパイル固定段階（Ｓ２１０）と、で構成される。【選択図】図１
2016536488.tif 000002
【特許請求の範囲】
【請求項１】
作業が行われる場所に、海上掘削用の基本設備を設置する定着段階（Ｓ１００）と、
前記定着段階（Ｓ１００）により設置されたフラットフォーム３０またはガイドケーシング２０に、回転可能な構造を有するロータリーテーブル４０を設置するロータリーテーブル設置段階（Ｓ１１０）と、
前記ロータリーテーブル４０の上側に穿孔機５０を設置する穿孔機設置段階（Ｓ１２０）と、
多数の半月ケーシング６０が水中において円をなすようにする半月ケーシング設置段階（Ｓ１３０）と、
前記半月ケーシング設置段階（Ｓ１３０）が完了すると、前記穿孔機５０を撤去する穿孔機除去段階（Ｓ１４０）と、
前記ロータリーテーブル４０をフラットフォーム３０またはガイドケーシング２０から撤去するロータリーテーブル除去段階（Ｓ１５０）と、
前記半月ケーシング設置段階（Ｓ１３０）により円をなしている多数の半月ケーシング６０の内側の海底地盤を掘削する地盤掘削段階（Ｓ１６０）と、
前記地盤掘削段階（Ｓ１６０）により形成された捨石を海上に引き出して除去する捨石除去段階（Ｓ１７０）と、
前記地盤掘削段階（Ｓ１６０）と捨石除去段階（Ｓ１７０）が完了した海底地盤に、モノパイル９０を設置するモノパイル設置段階（Ｓ１８０）と、
前記モノパイル設置段階（Ｓ１８０）により設置されたモノパイル９０の下端部の内側を充填する内部充填段階（Ｓ１９０）と、
前記モノパイル９０の外側にある多数の半月ケーシング６０を海上に引き出して除去する半月ケーシング除去段階（Ｓ２００）と、
前記モノパイル９０の下端部の外側にコンクリートを打設し、モノパイル９０を固定するモノパイル固定段階（Ｓ２１０）と、
掘削装備を撤去する装備撤去段階（Ｓ２２０）と、
前記モノパイル９０の上側に必要装置を設置する装置設置段階（Ｓ２３０）と、を含むことを特徴とする海底地盤の掘削工法。
【請求項２】
前記半月ケーシング設置段階（Ｓ１３０）は、パイプ状のビットケーシング７０の下端を海底地盤に固定させるビットケーシング設置過程（Ｓ１３１）と、
前記ビットケーシング７０の内側からドリルハンマビット８０を下降させ、地盤を掘削するドリル作業過程（Ｓ１３２）と、
前記ドリル作業過程（Ｓ１３２）に用いられたドリルハンマビット８０をビットケーシング７０の上側に引き出して除去するドリル除去過程（Ｓ１３３）と、
前記ビットケーシング７０の内側から半月ケーシング６０を下降させ、掘削された地盤に半月ケーシング６０の下端を挿入させる半月ケーシング固定過程（Ｓ１３４）と、
前記半月ケーシング固定過程（Ｓ１３４）が完了すると、前記ビットケーシング７０を上側に引き出し、半月ケーシング６０から分離するビットケーシング除去過程（Ｓ１３５）と、を含むことを特徴とする請求項１に記載の海底地盤の掘削工法。
【請求項３】
前記ガイドケーシング２０の内面と前記ビットケーシング７０の外面には、互いに対応する形状からなって結合されるガイドレール２２とレール突起７２がそれぞれ形成され、前記ビットケーシング７０を、ガイドケーシング２０の内面に沿って上下に摺動流動させることを特徴とする請求項２に記載の海底地盤の掘削工法。
【請求項４】
前記半月ケーシング６０は、円形の胴体６２と、前記胴体６２の一面が内側に陥没した半月溝６４とを有し、
前記半月溝６４は、前記半月ケーシング６０の曲率と対応する曲率を有するように窪んで形成され、隣接した半月ケーシング６０の外面と密着して設置されることにより、多数の半月ケーシング６０は、連続して重ね継ぎされ、円を形成することを特徴とする請求項３に記載の海底地盤の掘削工法。
【請求項５】
前記ロータリーテーブル４０は、一定の角度ずつ回転可能に構成され、前記ビットケーシング７０の下降位置を制御し、多数の半月ケーシング６０が円形を形成するようにすることを特徴とする請求項４に記載の海底地盤の掘削工法。
【発明の詳細な説明】
【技術分野】
【０００１】
本発明は、海底地盤の掘削工法に関し、より詳しくは、既存の掘削径の全断面を掘削する方式において、大口径掘削時、外形側のみを掘削する方式で、掘削効率を高め、海底でも容易に地盤を掘削し、風力発電機などを設置可能なモノパイル（ｍｏｎｏｐｉｌｅ）を施工する海底地盤の掘削工法に関する。
【背景技術】
【０００２】
一般に、地上の建物や橋梁などの構造物を支持する基礎コンクリートパイルの打設方法として、逆循環掘削工法（Ｒｅｖｅｒｓｅ  Ｃｉｒｃｕｌａｔｉｏｎ  Ｄｒｉｌｌ工法、Ｒ．Ｃ．Ｄ．工法）などが用いられている。
【０００３】
多く用いられるこのような逆循環掘削工法は、通常、土砂層と風化岩層、軟岩層、及び普通岩層からなる地盤において、風化岩層の上端までガイドケーシングを設置し、空壁の崩壊を防止し、ハンマグラブと掘削ビットなどを用いて深度まで掘削するようになる。
【０００４】
特許文献１にも、このような地上用大口径パイルの施工方法が開示されている。
【０００５】
しかしながら、このような従来の地盤掘削工法は、主に地上において用いられる方式である。したがって、海底のように海水が流動する状態では、適用し難いという問題点があった。すなわち、海底では、海水の動きがあり、海水面の下で作業が行われるので、これによる抵抗などの困難があった。
【先行技術文献】
【特許文献】
【０００６】
【特許文献１】韓国登録特許第１０−１１３９７０８号公報
【発明の概要】
【発明が解決しようとする課題】
【０００７】
本発明は、上記問題点に鑑みなされたものであり、その目的は、海底でも、効率的に地盤を掘削し、モノパイルの設置が可能なようにする海底地盤の掘削工法を提供することにある。
【課題を解決するための手段】
【０００８】
上述した目的を達成するために、本発明による海底地盤の掘削工法は、作業が行われる場所に、海上掘削用の基本設備を設置する定着段階（Ｓ１００）と、前記定着段階（Ｓ１００）により設置されたフラットフォーム３０またはガイドケーシング２０に、回転可能な構造を有するロータリーテーブル４０を設置するロータリーテーブル設置段階（Ｓ１１０）と、前記ロータリーテーブル４０の上側に穿孔機５０を設置する穿孔機設置段階（Ｓ１２０）と、多数の半月ケーシング６０が水中において円をなすようにする半月ケーシング設置段階（Ｓ１３０）と、前記半月ケーシング設置段階（Ｓ１３０）が完了すると、前記穿孔機５０を撤去する穿孔機除去段階（Ｓ１４０）と、前記ロータリーテーブル４０をフラットフォーム３０またはガイドケーシング２０から撤去するロータリーテーブル除去段階（Ｓ１５０）と、前記半月ケーシング設置段階（Ｓ１３０）により円をなしている多数の半月ケーシング６０の内側の海底地盤を掘削する地盤掘削段階（Ｓ１６０）と、前記地盤掘削段階（Ｓ１６０）により形成された捨石を海上に引き出して除去する捨石除去段階（Ｓ１７０）と、前記地盤掘削段階（Ｓ１６０）と捨石除去段階（Ｓ１７０）が完了した海底地盤に、モノパイル９０を設置するモノパイル設置段階（Ｓ１８０）と、前記モノパイル設置段階（Ｓ１８０）により設置されたモノパイル９０の下端部の内側を充填する内部充填段階（Ｓ１９０）と、前記モノパイル９０の外側にある多数の半月ケーシング６０を海上に引き出して除去する半月ケーシング除去段階（Ｓ２００）と、前記モノパイル９０の下端部の外側にコンクリートを打設し、モノパイル９０を固定するモノパイル固定段階（Ｓ２１０）と、掘削装備を撤去する装備撤去段階（Ｓ２２０）と、前記モノパイル９０の上側に必要装置を設置する装置設置段階（Ｓ２３０）と、を含むことを特徴とする。
【０００９】
前記半月ケーシング設置段階（Ｓ１３０）は、パイプ状のビットケーシング７０の下端を海底地盤に固定させるビットケーシング設置過程（Ｓ１３１）と、前記ビットケーシング７０の内側からドリルハンマビット８０を下降させ、地盤を掘削するドリル作業過程（Ｓ１３２）と、前記ドリル作業過程（Ｓ１３２）に用いられたドリルハンマビット８０をビットケーシング７０の上側に引き出して除去するドリル除去過程（Ｓ１３３）と、前記ビットケーシング７０の内側から半月ケーシング６０を下降させ、掘削された地盤に半月ケーシング６０の下端を挿入させる半月ケーシング固定過程（Ｓ１３４）と、前記半月ケーシング固定過程（Ｓ１３４）が完了すると、前記ビットケーシング７０を上側に引き出し、半月ケーシング６０から分離するビットケーシング除去過程（Ｓ１３５）と、を含むことを特徴とする。
【００１０】
前記ガイドケーシング２０の内面と前記ビットケーシング７０の外面には、互いに対応する形状からなって結合されるガイドレール２２とレール突起７２がそれぞれ形成され、前記ビットケーシング７０を、ガイドケーシング２０の内面に沿って上下に摺動流動させることを特徴とする。
【００１１】
前記半月ケーシング６０は、円形の胴体６２と、前記胴体６２の一面が内側に陥没した半月溝６４とを有し、前記半月溝６４は、前記半月ケーシング６０の曲率と対応する曲率を有するように窪んで形成され、隣接した半月ケーシング６０の外面と密着して設置されることにより、多数の半月ケーシング６０は、連続して重ね継ぎされ、円を形成することを特徴とする。
【００１２】
前記ロータリーテーブル４０は、一定の角度ずつ回転可能に構成され、前記ビットケーシング７０の下降位置を制御し、多数の半月ケーシング６０が円形を形成するようにすることを特徴とする。
【発明の効果】
【００１３】
本発明による海底地盤の掘削工法は、以下のような効果がある。
【００１４】
本発明では、ドリルハンマビットの上下移動をガイドするために、円筒状のガイドケーシングとビットケーシングが用いられる。したがって、ドリルハンマビットが海水の流れにより影響されることが防止されるので、海底地盤の掘削が容易になるという利点がある。
【００１５】
また、本発明では、ドリルハンマビットの上下移動をガイドするビットケーシングが、円筒状のガイドケーシングの内面に形成されるガイドレールに沿って上下に移動するようになる。したがって、ビットケーシングが正確な位置に定着可能になり、海水の流れがあった場合も、上下移動が安定的に行われる長所がある。
【００１６】
また、本発明では、一面が内側に窪んで形成された半月ケーシングが互いに多数個連結され、海底地盤に円形に設置される。したがって、半月ケーシングの上下流動時、隣接した半月ケーシングの溝に支持されるので、半月ケーシングの設置作業が容易になるという長所がある。
【００１７】
それだけでなく、本発明では、ロータリーテーブルがさらに設けられ、多数の半月ケーシングが設置される位置と、ビットケーシングが移動しながら円形をなす位置とを、正確にガイドするようになる。したがって、作業能率が向上するという長所がある。
【００１８】
一方、本発明では、外径側のみを先ず掘削する方式により、地盤掘削が行われるので、大口径がの掘削も容易に可能となるという長所がある。
【図面の簡単な説明】
【００１９】
【図１】本発明による海底地盤の掘削工法の好適な実施例の構成を示すブロック図である。
【図２】本発明の実施例を構成する定着段階により装備が設置された状態を示す正面図である。
【図３】図２の平面図である。
【図４】本発明の実施例を構成するロータリーテーブル設置段階を示す作業工程図である。
【図５】本発明の実施例を構成する穿孔機設置段階を示す作業工程図である。
【図６】本発明の実施例を構成する半月ケーシング設置段階のビットケーシング設置過程を示す作業工程図である。
【図７】本発明の実施例を構成する半月ケーシング設置段階のドリル作業過程を示す作業工程図である。
【図８】本発明の実施例を構成する半月ケーシング設置段階の半月ケーシング固定過程を示す作業工程図である。
【図９】本発明の実施例を構成する穿孔機除去段階及びロータリーテーブル除去段階を示す作業工程図である。
【図１０】本発明の実施例を構成する地盤掘削段階を示す作業工程図である。
【図１１】本発明の実施例を構成するモノパイル設置段階を示す作業工程図である。
【図１２】本発明の実施例を構成する内部充填段階を示す作業工程図である。
【図１３】本発明の実施例を構成する半月ケーシング除去段階を示す作業工程図である。
【図１４】本発明の実施例を構成するモノパイル固定段階を示す作業工程図である。
【図１５】本発明の実施例を構成する装備撤去段階を示す作業工程図である。
【図１６】本発明の実施例を構成する装置設計段階を示す作業工程図である。
【図１７】本発明の実施例に用いられる半月ケーシングの設置状態を示す平面図である。
【発明を実施するための形態】
【００２０】
以下、添付した図面に基づき、本発明の好適な実施例について詳述する。
【００２１】
図１には、本発明による海底地盤の掘削工法の一実施例の構成を示すブロック図が示されており、図２乃至図１６には、本発明の実施例を構成する各段階の作業工程が示されており、図１７には、本発明の実施例に用いられる多数の半月ケーシング６０の設置状態が平面図として示されている。
【００２２】
これらの図に示すように、本発明による海底地盤の掘削工法は、作業が行われる場所に、海上掘削用の基本設備を設置する定着段階（Ｓ１００）と、前記定着段階（Ｓ１００）により設置されたフラットフォーム３０またはガイドケーシング２０に、回転可能な構造を有するロータリーテーブル４０を設置するロータリーテーブル設置段階（Ｓ１１０）と、前記ロータリーテーブル４０の上側に穿孔機５０を設置する穿孔機設置段階（Ｓ１２０）と、多数の半月ケーシング６０が水中において円をなすようにする半月ケーシング設置段階（Ｓ１３０）と、前記穿孔機５０を撤去する穿孔機除去段階（Ｓ１４０）と、前記ロータリーテーブル４０をフラットフォーム３０から撤去するロータリーテーブル除去段階（Ｓ１５０）と、前記半月ケーシング設置段階（Ｓ１３０）により円をなしている多数の半月ケーシング６０の内側の海底地盤を掘削する地盤掘削段階（Ｓ１６０）と、前記地盤掘削段階（Ｓ１６０）により形成された捨石を海上に引き出して除去する捨石除去段階（Ｓ１７０）と、前記地盤掘削段階（Ｓ１６０）が完了した海底地盤に、モノパイル９０を設置するモノパイル設置段階（Ｓ１８０）と、前記モノパイル設置段階（Ｓ１８０）により設置されたモノパイル９０の下端部の内側を充填する内部充填段階（Ｓ１９０）と、前記モノパイル９０の外側にある多数の半月ケーシング６０を海上に引き出して除去する半月ケーシング除去段階（Ｓ２００）と、前記モノパイル９０の下端部の外側にコンクリートを打設し、モノパイル９０を固定するモノパイル固定段階（Ｓ２１０）と、掘削装備を撤去する装備撤去段階（Ｓ２２０）と、前記モノパイル９０の上側に必要装置を設置する装置設置段階（Ｓ２３０）と、で構成される。
【００２３】
前記定着段階（Ｓ１００）は、任意の目標地点に、海底掘削のための基本装備を設置する過程である。具体的には、図２及び図４に示すように、海の任意の位置にジャケット１０とバージ１２を設置し、バージ１２にガイドケーシング２０を設置する。
【００２４】
このとき、正確な施工位置を探すためには、ＧＰＳやその他の測定装備が用いられ、前記バージ１２は、海上に露出する。また、前記ガイドケーシング２０は、円筒状からなり、後述するビットケーシング７０の上下移動をガイドするようになる。
【００２５】
前記ガイドケーシング２０の内面には、後述するビットケーシング７０の上下移動をガイドするために、ガイドレール２２が設置されるが、このようなガイドレール２２については、後述する。
【００２６】
前記ガイドケーシング２０の外側には、フラットフォーム３０がさらに設けられる。
【００２７】
前記定着段階（Ｓ１００）により、ガイドケーシング２０とフラットフォーム３０などが設けられてから、次にロータリーテーブル設置段階（Ｓ１１０）が進行する。
【００２８】
このとき、前記フラットフォーム３０またはガイドケーシング２０に、回転可能な構造を有するロータリーテーブル４０が設けられる。すなわち、前記ガイドケーシング２０やフラットフォーム３０の上部に、クレーンを用いて、ロータリーテーブル４０を据え置く。図３には、前記ロータリーテーブル設置段階（Ｓ１１０）によりロータリーテーブル４０が設けられる状態が示されている。
【００２９】
前記ロータリーテーブル４０は、一定の角度ずつ回転可能に構成され、後述するビットケーシング７０の下降位置を制御し、多数の半月ケーシング６０が円形を形成するようにする。すなわち、前記ロータリーテーブル４０は、前記ガイドケーシング２０の上側に円形に設けられ、一定の角度で、時計方向または半時計方向に回転するように構成され、後述するビットケーシング７０とドリルハンマビット８０などが正確な位置を決めるようにガイドするようになる。
【００３０】
前記ロータリーテーブル設置段階（Ｓ１１０）が完了すると、前記穿孔機設置段階（Ｓ１２０）が行われる。穿孔機設置段階（Ｓ１２０）は、前記ロータリーテーブル４０が固定された後、クレーンなどを用いて、穿孔機５０をロータリーテーブル４０の上部に定着させる過程である。したがって、前記穿孔機５０は、ロータリーテーブル４０の回転により、時計方向または半時計方向に移動しながら、地盤掘削作業を行うようになる。
【００３１】
図５には、クレーンにより、前記穿孔機５０が前記ロータリーテーブル４０の上面に設置される状態が示されている。
【００３２】
前記穿孔機５０が設置されると、次に、半月ケーシング設置段階（Ｓ１３０）が進行する。前記半月ケーシング設置段階（Ｓ１３０）では、多数の半月ケーシング６０を図１７のように円形をなすように設置するようになる。
【００３３】
前記半月ケーシング設置段階（Ｓ１３０）は、パイプ状のビットケーシング７０の下端を海底地盤に固定させるビットケーシング設置過程（Ｓ１３１）と、前記ビットケーシング７０の内側からドリルハンマビット８０を下降させ、地盤を掘削するドリル作業過程（Ｓ１３２）と、前記ドリル作業過程（Ｓ１３２）に用いられたドリルハンマビット８０をビットケーシング７０の上側に引き出して除去するドリル除去過程（Ｓ１３３）と、前記ビットケーシング７０の内側から半月ケーシング６０を下降させ、掘削された地盤に半月ケーシング６０の下端を挿入させる半月ケーシング固定過程（Ｓ１３４）と、前記ビットケーシング７０を上側に引き出し、半月ケーシング６０から分離するビットケーシング除去過程（Ｓ１３５）などからなる。
【００３４】
前記ビットケーシング設置過程（Ｓ１３１）は、ビットケーシング７０が前記ガイドケーシング２０を上側から下側に通過し、下端を海底地盤の岩盤に一部挿入させる過程である。図６には、最初のビットケーシング７０が下部に降り、地盤に挿入されて固定された状態が示されている。
【００３５】
前記ビットケーシング７０が海水面の下に降りて設置されるときは、前記ガイドケーシング２０の内面に沿って下側に摺動される。具体的には、前記ガイドケーシング２０の内面と前記ビットケーシング７０の外面には、互いに対応する形状からなって結合されるガイドレール２２とレール突起７２がそれぞれ形成され、前記ビットケーシング７０がガイドケーシング２０の内面に沿って上下に摺動流動するようにする。
【００３６】
前記ガイドケーシング２０の内面には、図６に示すように、「⊃」状の断面を有するガイドレール２２が、等間隔で多数設置される。また、前記ビットケーシング７０の外面には、前記ガイドレール２２の形状と対称して、「⊂」状の断面を有するレール突起７２が外側に突出して形成される。
【００３７】
したがって、前記ガイドレール２２とレール突起７２が互いに結合されて摺動すると、前記ビットケーシング７０が前記ガイドケーシング２０の内面に沿って上下に摺動するようになる。
【００３８】
このように、前記ビットケーシング７０がガイドケーシング２０に支持されて下降すると、海水面の下でも潮流抵抗から反り現象や流失が防止される効果がある。
【００３９】
また、前記ビットケーシング７０が下側に降り、地盤に固定されるためには、所定の深さの掘削作業がさらに行われる。すなわち、図６に示すように、前記ビットケーシング７０が下側に降り、海底地盤に下端が固定されるが、このためには、ビットケーシング７０の下端部が挿入されるように、海底地盤に所定の深さ（１Ｍ〜２Ｍ）の掘削が行われなければならない。
【００４０】
前記ビットケーシング設置過程（Ｓ１３１）により、ビットケーシング７０が海底地盤に固定されると、前記ドリル作業過程（Ｓ１３２）が行われ、海底地盤を掘削する。この過程では、ドリルハンマビット８０が用いられるが、ドリルハンマビット８０が前記ビットケーシング７０の内側から下側に下降し、海底地盤を掘削するようになる。このときは、約１０Ｍ深さの掘削が行われるようにすることが好ましい。図７には、最初に設置されたビットケーシング７０に沿って、ドリルハンマビット８０が海底岩盤を掘削した状態の断面が示されている。
【００４１】
上記のように、ドリルハンマビット８０により最初の掘削が完了すると、ドリル除去過程（Ｓ１３３）が進行する。
【００４２】
前記ドリル除去過程（Ｓ１３３）は、前記ドリル作業過程（Ｓ１３２）に用いられたドリルハンマビット８０をビットケーシング７０の上側に抜け出す過程である。
【００４３】
次に、半月ケーシング固定過程（Ｓ１３４）が進行する。前記半月ケーシング固定過程（Ｓ１３４）は、前記ビットケーシング７０の内側から半月ケーシング６０を下降させ、図８に示すように、前記ドリルハンマビット８０により掘削された地盤に半月ケーシング６０の下端を挿入させる過程である。
【００４４】
前記半月ケーシング固定過程（Ｓ１３４）が完了すると、前記ビットケーシング７０を上側に引き出し、半月ケーシング６０から分離するビットケーシング除去過程（Ｓ１３５）が進行する。すなわち、目標とする最初の半月ケーシング６０の設置が行われたので、半月ケーシング６０の設置をガイドしたビットケーシング７０は、上側に抜け出す。
【００４５】
このような過程により、一つ（最初）の半月ケーシング６０の設置が完了する。
【００４６】
このように、一つの最初の半月ケーシング６０の設置が完了すると、次に、第２及び第３の半月ケーシング６０を順に設置し、全体的に半月ケーシング６０が円状をなすようにする。すなわち、図１７に示すように、多数の半月ケーシング６０が円をなすように、最初の半月ケーシング６０の隣に前記多数の過程を繰り返し、半月ケーシング６０の設置を継続する。
【００４７】
前記半月ケーシング６０は、図示（図１７）のように、円形の 胴体６２と、前記胴体６２の一面が内側に陥没した半月溝６４と、で構成される。また、前記半月溝６４は、前記半月ケーシング６０の曲率と対応する曲率を有するように窪んで形成され、隣接した半月ケーシング６０の外面と密着して設置されることにより、多数の半月ケーシング６０は、連続して重ね継ぎされ、円を形成する。
【００４８】
具体的には、図１７に拡大して示すように、円弧状を有する前記半月溝６４の曲率は、前記胴体６２の曲率と同一の曲率を有し、または少なくとも胴体６２の曲率よりもさらに大きな曲率を有するように形成される。したがって、前記半月溝６４の溝の内側に胴体６２の一部が収容される。
【００４９】
一方、長い円筒状を有する前記ビットケーシング７０も、前記半月ケーシング６０の曲率と同じ曲率を有するように形成される。したがって、前記半月ケーシング６０が、ビットケーシング７０の内側において上下に摺動流動可能になり、前記半月ケーシング６０が互いに隣接するように、ビットケーシング７０が設置をガイドする場合は、既設された隣接した半月ケーシング６０の半月溝６４の凹部にビットケーシング７０の外面が接して摺動可能になる。
【００５０】
前記半月ケーシング設置段階（Ｓ１３０）により、多数の半月ケーシング６０が円をなすように設置完了すると、次に、図９のように、穿孔機除去段階（Ｓ１４０）とロータリーテーブル除去段階（Ｓ１５０）が進行する。
【００５１】
前記穿孔機除去段階（Ｓ１４０）とロータリーテーブル除去段階（Ｓ１５０）は、クレーンを用いて、穿孔機５０をロータリーテーブル４０から分離させて撤去し、ロータリーテーブル４０も、ガイドケーシング２０またはフラットフォーム３０から分離して撤去する過程である。
【００５２】
次に、前記地盤掘削段階（Ｓ１６０）が進行する。
【００５３】
前記地盤掘削段階（Ｓ１６０）は、前記半月ケーシング設置段階（Ｓ１３０）により円をなしている多数の半月ケーシング６０の内側の海底地盤を掘削する過程であって、岩盤からなる海底地盤をチズルなどで破砕して掘削する段階である。すなわち、前記半月ケーシング６０が海底地盤に約１０Ｍの深さで設置されているので、このような半月ケーシング６０の挿入深さだけ地盤を掘り出す。図１０には、チズルなどを用いて、地盤掘削を行う過程が示されている。
【００５４】
前記地盤掘削段階（Ｓ１６０）により地盤掘削が行われると、捨石除去段階（Ｓ１７０）が進行する。すなわち、前記地盤掘削段階（Ｓ１６０）により形成された捨石（ｍｕｃｋ）を汲み取り、海上に引き出す過程である。
【００５５】
前記モノパイル設置段階（Ｓ１８０）では、前記地盤掘削段階（Ｓ１６０）と捨石除去段階（Ｓ１７０）が完了した海底地盤に、大口径のモノパイル９０を設置する過程である。すなわち、前記捨石除去段階（Ｓ１７０）により底が整理されると、図１１に示すように、大口径のモノパイル９０を円形からなる半月ケーシング６０の内側に挿入して立てる。すなわち、前記ガイドケーシング２０と多数の半月ケーシング６０が円形に並べられた内側に、モノパイル９０がガイドケーシング２０の上側から挿入されて設置される。
【００５６】
その後、内部充填段階（Ｓ１９０）が進行するが、この段階は、前記モノパイル設置段階（Ｓ１８０）により設置されたモノパイル９０の下端部の内側を充填する過程である。すなわち、このときは、ハンマグラブなどで、硬い岩石片や石などを外部からモノパイル９０の内部に投入して充填する。もちろん、コンクリート打設も可能である。図１２には、ハンマグラブによりモノパイル９０の内部が充填される状態が示されている。
【００５７】
前記内部充填段階（Ｓ１９０）が行われると、半月ケーシング除去段階（Ｓ２００）が進行する。
【００５８】
前記半月ケーシング除去段階（Ｓ２００）は、前記モノパイル９０の外側にある多数の半月ケーシング６０を海上に抜き出す過程である。すなわち、図１３に示すように、クレーンを用いて、多数の半月ケーシング６０を上側に持ち上げて除去する。
【００５９】
次に、モノパイル固定段階（Ｓ２１０）が進行する。
【００６０】
前記モノパイル固定段階（Ｓ２１０）は、図１４に示すように、前記モノパイル９０の下端部の外側にコンクリートを打設し、モノパイル９０を固定する過程である。すなわち、モノパイル９０の外側の海底地盤には、前記半月ケーシング６０が挿入された溝が存在するが、この溝にコンクリートを上側から提供して打設するようになる。このようになると、モノパイル９０の外側の下部がコンクリートにより堅固に固定される。
【００６１】
前記モノパイル固定段階（Ｓ２１０）が行われると、掘削装備を撤去する装備撤去段階（Ｓ２２０）が進行する。前記装備撤去段階（Ｓ２２０）は、図１５に示すように、前記ガイドケーシング２０をモノパイル９０から分離し、前記フラットフォーム３０とバージ１２も、モノパイル９０から離隔させる過程である。
【００６２】
また、最後に、一つ残ったモノパイル９０の上側に設備を設置する装置設置段階（Ｓ２３０）が進行する。すなわち、前記モノパイル９０の上側に必要装置を設置するようになる。図１６には、前記モノパイル９０の上側に風力発電機が設置された状態が示されている。
【００６３】
このような本発明の範囲は、上記に例示した実施例に限定されず、上記のような技術の範囲内において、当業界の通常の技術者にとっては、本発明に基づいた他の多くの変形が可能であろう。
【図１】
2016536488.tif 000003
【図２】
2016536488.tif 000004
【図３】
2016536488.tif 000005
【図４】
2016536488.tif 000006
【図５】
2016536488.tif 000007
【図６】
2016536488.tif 000008
【図７】
2016536488.tif 000009
【図８】
2016536488.tif 000010
【図９】
2016536488.tif 000011
【図１０】
2016536488.tif 000012
【図１１】
2016536488.tif 000013
【図１２】
2016536488.tif 000014
【図１３】
2016536488.tif 000015
【図１４】
2016536488.tif 000016
【図１５】
2016536488.tif 000017
【図１６】
2016536488.tif 000018
【図１７】
2016536488.tif 000019
【国際調査報告】
2016536488.tif 000020
2016536488.tif 000021
2016536488.tif 000022
2016536488.tif 000023